(57)【要約】【課題】竿体が本体から滑り出さず、竿体表面が確実に保護され、携帯性のよいロッドケ−スを提供することである。【解決手段】本体１は柔軟材料の表地と裏地の中にクッション性を持った材料を内挿したり、クッション性を有する発泡ゴム、ネオプレン等の材料で表側１ａと内側１ｂで上方が開口した袋状に縫製等で接合して形成されている。内側１ｂ側の縦方向より長い表側１ａ側の上側にベロ部１ｇを形成し、ベロ部１ｇは折り返し線βで下方に折り返され、表側１ａの上側の縁取りテ−プ２ｃは内側１ｂの上側の縁取りテ−プ２ｅの上側に突き当たって重ねられないように形成され、表側１ａと内側１ｂの間の袋部分には縫目からなる複数の仕切り状部５によって区切られた複数の収納部Ａ、Ｂ、Ｃ、Ｄが形成されて竿体１０、１１、１２、１３が収納され、表側１ａの外側に帯状の止め具６が固定されている。【選択図】        図１
2005021007.tif 000002
【特許請求の範囲】
【請求項１】
釣竿を収納するロッドケ−スであって、本体に竿体を個々に収納する複数の仕切り状部によって区切られた収納部を有し、該収納部に竿体を収納して本体を巻き込んで止め具によって固定できるような構造を有することを特徴とするロッドケ−ス。
【請求項２】
前記竿体収納時、収納部の開口部より竿体の端部が露出するような長さに収納部を形成したことを特徴とする請求項１記載のロッドケ−ス。
【請求項３】
前記本体端部にベロ部を有し、該ベロ部が折り返し時、前記開口部に重ならない様に面ファスナで止着することを特徴とする請求項１、２記載のロッドケ−ス。
【請求項４】
前記止め具に連設されたベルト係止具に係合されるベルト係止具に装着されたベルトを有することを特徴とする請求項１〜３記載のロッドケ−ス。
【請求項５】
前記本体はクッション性を有することを特徴とする請求項１〜４記載のロッドケ−ス。
【請求項６】
前記竿体収納時、ベルト係止具よりベロ部側に竿体の端部が位置していることを特徴とする請求項１〜５記載のロッドケ−ス。
【請求項７】
前記本体は略四辺形の角部を切り欠いて出来た切り欠き辺の長手方向の延長線を軸に折り返し端部を接合したことを特徴とするロッドケ−スの製造方法。
【請求項８】
前記本体は長方形の一辺を対向辺に向かって位置をずらした状態で長手方向に折り返して接合したことを特徴とするロッドケ−スの製造方法。
【請求項９】
前記本体は接合後、裏返して縫い代を内側にした後、仕切り状部を形成したことを特徴とするロッドケ−スの製造方法。
【発明の詳細な説明】
【０００１】
【発明の属する技術分野】
本発明は、竿体の保護と携帯性を兼ね備えたロッドケ−スとその製造方法に関する。
【０００２】
【従来の技術】
従来複数の竿体を互いに損傷しあうことなく収納可能なロッドケ−スが提案されている。（例えば特許文献１参照）
【０００３】
【特許文献１】特開平１１−２７６０４７号公報
【０００４】
特許文献１には、ケース本体は内面上に形成された竿体を載置可能な載置部と、載置部の一端側付近に形成された挿入部と、載置部の他端側付近に形成された係止部と、挿入部と係止部との間の載置部上に設けられた面ファスナとを有している。
【０００５】
【発明が解決しようとする課題】
解決しようとする課題は、ケ−ス本体内面上の載置部の一端側付近に形成された挿入部と、載置部の他端側付近に形成された係止部で竿体を保持する構成なので、両端の挿入部と係止部に竿体を収納するのは煩わしい欠点がある。
更に載置部に載置された竿体は被係合部と他の係合部の間に挟み込んで面ファスナで定着させるように構成されているが、ケ−ス本体の係止部側は開口されているので、面ファスナで確実に定着させないと竿体がケ−ス本体から滑り出してしまう欠点がある。
【０００６】
本発明の目的は前記欠点に鑑み、竿体が本体から滑り出さず、竿体表面が確実に保護され、携帯性のよいロッドケ−スを提供することである。
【０００７】
【課題を解決するための手段】
上記課題を解決するために、
請求項１に係わる本発明は、釣竿を収納するロッドケ−スであって、本体に竿体を個々に収納する複数の仕切り状部によって区切られた収納部を有し、該収納部に竿体を収納して本体を巻き込んで止め具によって固定できるような構造を有することを要旨とするものである。
請求項２に係わる本発明は、前記竿体収納時、収納部の開口部より竿体の端部が露出するような長さに収納部を形成したことを要旨とするものである。
請求項３に係わる本発明は、前記本体端部にベロ部を有し、該ベロ部が折り返し時、前記開口部に重ならない様に面ファスナで止着することを要旨とするものである。
【０００８】
請求項４に係わる本発明は、前記止め具に連設されたベルト係止具に係合されるベルト係止具に装着されたベルトを有することを要旨とするものである。
請求項５に係わる本発明は、前記本体はクッション性を有することを要旨とするものである。
請求項６に係わる本発明は、前記竿体収納時、ベルト係止具よりベロ部側に竿
体の端部が位置していることを要旨とするものである。
【０００９】
請求項７に係わる本発明は、前記本体は略四辺形の角部を切り欠いて出来た切り欠き辺の長手方向の延長線を軸に折り返し端部を接合した製造方法を要旨とするものである。
請求項８に係わる本発明は、前記本体は長方形の一辺を対向辺に向かって位置をずらした状態で長手方向に折り返して接合した製造方法を要旨とするものである。
請求項９に係わる本発明は、前記本体は接合後、裏返して縫い代を内側にした後、仕切り状部を形成した製造方法を要旨とするものである。
【００１０】
【発明の実施の形態】
本発明によって、クッション性を有する材料で本体１が形成されて収納部Ａ、Ｂ、Ｃ、Ｄの開口部１ｈはベロ部１ｇで閉じられて本体１が巻き込まれるので、竿体１０、１１、１２、１３同志が触れたり、本体１から抜け落ちることがないので、竿体を損傷することがない。
竿体１０、１１、１２、１３が露出しないので他から衝撃を受けることがなく、端部が保護されている。
収納部Ａ、Ｂ、Ｃ、Ｄから突出した竿体１０、１１、１２、１３の端部外側を帯状の止め具６で止めることになるので、締め込み易く本体１の中で確実に竿体１０、１１、１２、１３が保持される。
【００１１】
竿体１０、１１、１２、１３は本体１の中で巻き込まれているので、携帯性がよく、巻き込まれた本体１の外側から握り易い。
ベロ部１ｇが閉じられた時、縁取りテ−プ２ｃと縁取りテ−プ２ｅが突き当たって重ねられないようにベロ部１ｇが閉じられるので、ベロ部１ｇの端の部分が持ち上がることがなく、本体１が巻き込み易い。
本体１が１枚の材料で表側１ａと内側１ｂが構成されると作り易く工数が減って縫製が容易になる。
【００１２】
【実施例】
以下、本発明を実施例で図面に基づき説明すると、図１はロッドケ−スに竿体が収納されてベロ部が開かれた内側展開平面図、図２はロッドケ−スの横方向から見た断面側面図と要部拡大断面側面図、図３（ａ）はロッドケ−スの縦方向の上から見た断面平面図で（ｂ）は（ａ）の左側の拡大断面平面図で（ｃ）は（ａ）の右側の拡大断面平面図、図４はロッドケ−スのベロ部が開かれた表側展開平面図、図５は本体素材の展開図、図６はロッドケ−スに竿体が収納されてベロ部が折り返し閉じられた内側展開平面図、図７はロッドケ−スの本体が巻き込まれて携帯状態にされた側面図である。
【００１３】
ロッドケ−スは、本体１がナイロン、テトロン、テトロンコットン、綿布等の柔軟材料の素材の表地と裏地の中に発泡ウレタン、スポンジを内挿してクッション性をもたせた材料やクッション性を有する発泡ゴム、ネオプレン等を材料にして図１から図４のように表側１ａと内側１ｂで上方が開口した袋状に形成されている。
表側１ａと内側１ｂは夫々別体で裁断されたり、図５のように一体に裁断されて図３のように二つ折りにされて縦方向の端部１ｃ、１ｄが縫製等で接合されると共に図２のように底部となる横方向の端部１ｅ、１ｆが縫製等で接合されている。
【００１４】
接合された端部１ｃ、１ｄ、１ｅ、１ｆの外側と、表側１ａと内側１ｂの上方の縁にはバイアステ−プなどの縁取りテ−プ２が縫製等で止着されている。
縁取りテ−プ２の夫々の位置に記号を付すと、図１で左側の縦方向は２ａ、下側底部は２ｂ、表側１ａの上側は２ｃ、表側１ａの右側は２ｄ、内側１ｂの上側は２ｅとする。
【００１５】
ネオプレンを材料にして表側１ａと内側１ｂが図５のように一体に裁断されて二つ折りにされて縦方向の端部１ｃ、１ｄと底部となる横方向の端部１ｅ、１ｆが縫製等で接合された例で述べると、
ネオプレンの材料は図５で表側１ａ側は縦方向に長い長方形で、内側１ｂ側は表側１ａ側より縦方向が短い長方形で、表側１ａ側と内側１ｂ側が一体の状態では略四辺形の一側角部ａが切り欠かれている。
表側１ａ側に対して内側１ｂ側が折り返される時は、縦方向の切り欠き辺ｂの長手方向の延長線αを軸に折り返される。
【００１６】
上記内側１ｂ側の縦方向より長い表側１ａ側の部分の縦方向の長さの半分より上をベロ部１ｇ（折り返し線βより上側）とする。
ベロ部１ｇは折り返し線βで下方に折り返されると、図６のように表側１ａの上側の縁取りテ−プ２ｃは内側１ｂの上側の縁取りテ−プ２ｅの上側に位置して縁取りテ−プ２ｃと縁取りテ−プ２ｅが突き当たって重ねられないようにベロ部１ｇの裏側とその下側の表側１ａの裏側に夫々面ファスナ３、４が固定されている。
【００１７】
表側１ａと内側１ｂの間の袋部分は図１、図４、図６の縫目からなる複数の仕切り状部５によって区切られて複数の収納部Ａ、Ｂ、Ｃ、Ｄが形成されている。
収納部Ａ、Ｂ、Ｃ、Ｄには夫々竿体１０、１１、１２、１３が収納される。
収納部Ａ、Ｂ、Ｃ、Ｄの深さは竿体１０、１１、１２、１３の上端部が収納部Ａ、Ｂ、Ｃ、Ｄの開口部１ｈより上方に突出するように形成されている。
内側１ｂの上部の位置の表側１ａの外側に上側の帯状の止め具６が固定されると共に表側１ａの下側にも下側の帯状の止め具６が固定されている。
【００１８】
帯状の止め具６の表側１ａ上の一端に面ファスナ１４が固定され、他端の裏面に他の面ファスナ１５が固定されている。
帯状の止め具６の面ファスナ１４の側部にはベルト係止具１６が取り付けられている。
上側の帯状の止め具６と下側の帯状の止め具６に夫々取り付けられたＤ形のベルト係止具１６、１６には図７のようにベルト１７の両端に取り付けられた他のベルト係止具１８、１８が係合される。
【００１９】
ロッドケ−スの本体１の中に竿体１０、１１、１２、１３が収納されて携帯される時は、ベロ部１ｇで収納部Ａ、Ｂ、Ｃ、Ｄの開口部１ｈが閉じられると共に竿体１０、１１、１２、１３の上部が覆われ、表側１ａを外側にして内側１ｂとベロ部１ｇを内側にして巻き込まれ、帯状の止め具６の面ファスナ１４に他の面ファスナ１５が係合して止められ、ベルト１７の他のベルト係止具１８、１８がベルト係止具１６、１６に係合されて携帯される。
ベルト１７と他のベルト係止具１８、１８を使用しない状態で携帯してもよい。
【００２０】
前記のようにロッドケ−スが構成されると、クッション性を有する材料で本体１が形成されて収納部Ａ、Ｂ、Ｃ、Ｄの開口部１ｈはベロ部１ｇで閉じられて本体１が巻き込まれるので、竿体１０、１１、１２、１３同志が触れたり、本体１から抜け落ちることがないので、竿体を損傷することがない。
竿体１０、１１、１２、１３が露出しないので他から衝撃を受けることがなく、端部が保護されている。
収納部Ａ、Ｂ、Ｃ、Ｄから突出した竿体１０、１１、１２、１３の端部外側を帯状の止め具６で止めることになるので、締め込み易く本体１の中で確実に竿体１０、１１、１２、１３が保持される。
【００２１】
竿体１０、１１、１２、１３は本体１の中で巻き込まれているので、携帯性がよく、巻き込まれた本体１の外側から握り易い。
ベロ部１ｇが閉じられた時、縁取りテ−プ２ｃと縁取りテ−プ２ｅが突き当たって重ねられないようにベロ部１ｇが閉じられるので、ベロ部１ｇの端の部分が持ち上がることがなく、本体１が巻き込み易い。
本体１が１枚の材料で表側１ａと内側１ｂが構成されると作り易く工数が減って縫製が容易になる。
【００２２】
図８は本体素材の裁断変形例で、図８は本体素材の展開図である。
【００２３】
本体素材の裁断変形例では、表側１ａの素材と内側１ｂの素材が折り返し線γを挟んで上下に一体に連設されている。
表側１ａの長さは内側１ｂの長さＬと同じ長さＬに＋ベロ部１ｇの長さＬ′の２倍の長さに形成されている。
表側１ａと内側１ｂが袋状に縫製される時は、折り返し線γで折り返して一辺を対向辺に向かって位置をずらした状態で長手方向に折り返し、両端を縫製等で接合して本体１とする。
表側１ａ側と内側１ｂ側の周囲の縁は縁取りテ−プを止着してもしなくともよい。
他の構成は前記第１実施例と略同一である。
【００２４】
図９、図１０は本体素材の他の裁断変形例で、図９は本体素材の展開図、図１０はロッドケ−スの平面図である。
【００２５】
本体素材の他の裁断変形例では、表側１ａの左端と下側と、内側１ｂの右側と下側に縫い代１ｉが形成されている。
表側１ａ側と内側１ｂ側の形状は、表側１ａ側は縦方向に長い長方形で、内側１ｂ側は表側１ａ側より縦方向が短い長方形で、表側１ａ側と内側１ｂ側が一体の状態では略四辺形の一側角部ａが切り欠かれている。
表側１ａ側に対して内側１ｂ側が折り返される時は、縦方向の切り欠き辺ｂの長手方向の延長線αを軸に折り返される。
折り返し後、縫い代１ｉの内側の線に沿って縫製で接合され、その時の表裏が裏返しされて図１０のように縫い代１ｉが内側にされると本体１ができあがる。
表側１ａ側と内側１ｂ側の周囲の縁は縁取りテ−プを止着してもしなくともよい。
他の構成は前記第１実施例と略同一である。
【００２６】
縫い代１ｉを本体１の内側にすると見た目の外観がよくなる。
【００２７】
【発明の効果】
本発明は、以上説明したような形態で実施され、以下に記載されるような効果を奏する。
【００２８】
本発明によって、クッション性を有する材料で本体が形成されて収納部の開口部はベロ部で閉じられて本体が巻き込まれるので、竿体同志が触れたり、本体から抜け落ちることがないので、竿体を損傷することがない。
竿体が露出しないので他から衝撃を受けることがなく、端部が保護されている。
収納部から突出した竿体の端部外側を帯状の止め具で止めることになるので、締め込み易く本体１の中で確実に竿体が保持される。
【００２９】
竿体は本体の中で巻き込まれているので、携帯性がよく、巻き込まれた本体の外側から握り易い。
ベロ部が閉じられた時、縁取りテ−プと縁取りテ−プが突き当たって重ねられないようにベロ部が閉じられるので、ベロ部の端の部分が持ち上がることがなく、本体が巻き込み易い。
本体が１枚の材料で表側と内側が構成されると作り易く工数が減って縫製が容易になる。
【図面の簡単な説明】
【図１】ロッドケ−スに竿体が収納されてベロ部が開かれた内側展開平面図である。
【図２】ロッドケ−スの横方向から見た断面側面図と要部拡大断面側面図である。
【図３】（ａ）はロッドケ−スの縦方向の上から見た断面平面図で（ｂ）は（ａ）の左側の拡大断面平面図で（ｃ）は（ａ）の右側の拡大断面平面図である。
【図４】ロッドケ−スのベロ部が開かれた表側展開平面図である。
【図５】本体素材の展開図である。
【図６】ロッドケ−スに竿体が収納されてベロ部が折り返し閉じられた内側展開平面図である。
【図７】ロッドケ−スの本体が巻き込まれて携帯状態にされた側面図である。
【図８】本体素材の裁断変形例で、本体素材の展開図である。
【図９】本体素材の他の裁断変形例で、本体素材の展開図である。
【図１０】同ロッドケ−スの平面図である。
【符号の説明】
１  本体
１ｈ  開口部
１ｇ  ベロ部
１ｉ  縫い代
６  止め具
１０、１１、１２、１３  竿体
１６  ベルト係止具
１７  ベルト
１８  他のベルト係止具
α  切り欠き辺の長手方向の延長線
β、γ  折り返し線
Ａ、Ｂ、Ｃ、Ｄ  収納部
【図１】
2005021007.tif 000003
【図２】
2005021007.tif 000004
【図３】
2005021007.tif 000005
【図４】
2005021007.tif 000006
【図５】
2005021007.tif 000007
【図６】
2005021007.tif 000008
【図７】
2005021007.tif 000009
【図８】
2005021007.tif 000010
【図９】
2005021007.tif 000011
【図１０】
2005021007.tif 000012